(57)【要約】【課題】長尺の記録媒体に対して複数の記録処理を施すことが可能な記録装置を提供する。【解決手段】インクジェット式プリンタは、ロール紙２２を巻き付けた状態で保持しつつ回転可能に構成され、互いにスラスト方向に沿って並設された第１印刷部２８及び第２印刷部２９と、第１印刷部２８に巻き付けられたロール紙２２をスラスト方向に繰り出し、該繰り出したロール紙２２を第２印刷部２９に巻き付け可能な方向に導く第１ローラ２６及び第２ローラ２７とを備える。さらにインクジェット式プリンタは、第１印刷部２８及び第２印刷部２９に一連に巻き付けられた状態で保持されたロール紙２２に対して、第１印刷部２８の回転の下で印刷を行うとともに、第２印刷部２９の回転の下でロール紙２２における第１印刷部２８で印刷された印刷面をオーバーコート液によってコーティングする記録ヘッドとを備える。【選択図】図６
2009226919.tif 000002
【特許請求の範囲】
【請求項１】
長尺の記録媒体を巻き付けた状態で保持しつつ回転可能に構成され、互いにスラスト方向に沿って並設された第１保持部及び第２保持部と、
前記第１保持部に巻き付けられた前記記録媒体を前記スラスト方向に繰り出し、該繰り出した前記記録媒体を前記第２保持部に巻き付け可能な方向に導く案内機構と、
前記第１保持部及び前記第２保持部に一連に巻き付けられた状態で保持された前記記録媒体に対して、前記第１保持部の回転の下で第１記録処理を施すとともに、前記第２保持部の回転の下で第２記録処理を施す記録手段と
を備えたことを特徴とする記録装置。
【請求項２】
内部と外部とを連通する複数の連通部を有した回転可能な中空の本体ケースと、
該本体ケース内に収容されるとともに、ロール状に巻かれた前記記録媒体を、前記各連通部のうち前記記録媒体の搬送経路の最も上流側に位置する連通部を通して前記本体ケースの内部から外部へ繰り出し可能に支持する第１軸と、
前記本体ケース内に収容されるとともに、前記各連通部のうち前記記録媒体の搬送経路の最も下流側に位置する連通部を通して前記本体ケースの外部から内部へ導入された前記記録媒体を巻き取り可能な第２軸と
を備え、
前記案内機構は、該案内機構よりも上流側の連通部を通して前記本体ケースの外部から内部へ導入された前記記録媒体を該案内機構よりも下流側の連通部を通して前記本体ケースの内部から外部へ導くように構成され、
前記各連通部を通して前記本体ケースの内部から外部へ繰り出された前記記録媒体は、前記本体ケースの外周面におけるスラスト方向で別々の領域にそれぞれ巻き付けられ、それぞれ再び前記各連通部を通して前記本体ケースの外部から内部へ導入され、
前記第１保持部及び前記第２保持部は、前記本体ケースの外周面における前記各領域によってそれぞれ構成されていることを特徴とする請求項１に記載の記録装置。
【請求項３】
前記案内機構は、前記各保持部での前記記録媒体における前記各記録処理が施される面が変更されるように前記記録媒体を反転可能であって、前記記録媒体を巻き掛けて該記録媒体の搬送方向を変更するための巻き掛け部によって構成され、
前記巻き掛け部は、その軸線を中心に回転可能に支持されたローラによって構成されていることを特徴とする請求項１または請求項２に記載の記録装置。
【発明の詳細な説明】
【技術分野】
【０００１】
本発明は、例えば、回転可能に構成された第１保持部及び第２保持部に長尺の記録媒体を一連に巻き付けた状態で、該記録媒体に第１記録処理及び第２記録処理をそれぞれ施す記録装置に関する。
【背景技術】
【０００２】
従来、本体ケースの外周面（保持部）に巻き付けられた記録媒体に記録処理を行う記録装置としては、特許文献１に示すインクジェットプリンタ（以下、単に「プリンタ」と言う。）が知られている。この特許文献１のプリンタでは、ロール媒体（記録媒体）をセットした供給ロール（第１軸）と、巻取りロール（第２軸）とがドラム（本体ケース）に内蔵されており、供給ロールから繰り出されたロール媒体はドラムの外周面を一周した後、巻取りロールに順次巻き取られるようになっている。そして、ドラムが回転しながら該ドラムの外周面上に位置するロール媒体にラインヘッドユニット（記録手段）からインクが吐出されて、該ロール媒体に印刷（記録処理）が行われるようになっている。
【特許文献１】特開２００３−９４６１５号公報（図７）
【発明の開示】
【発明が解決しようとする課題】
【０００３】
ところで、特許文献１のプリンタでは、ドラムが一回転して該ドラムの外周面上に位置するロール媒体の印刷が終わると、その印刷した分だけロール媒体を巻取りロールによって巻き取るようにしている。このため、印刷が完了したロール媒体の印刷面に該印刷面を保護するためのオーバーコート液をさらに噴射したり、印刷が完了したロール媒体の印刷面の反対側の面に再び印刷する両面印刷を行ったりすることができなかった。
【０００４】
本発明は、このような従来技術に存在する問題点に着目してなされたものであり、その目的は、長尺の記録媒体に対して複数の記録処理を施すことが可能な記録装置を提供することにある。
【課題を解決するための手段】
【０００５】
上記目的を達成するために、本発明の記録装置は、長尺の記録媒体を巻き付けた状態で保持しつつ回転可能に構成され、互いにスラスト方向に沿って並設された第１保持部及び第２保持部と、前記第１保持部に巻き付けられた前記記録媒体を前記スラスト方向に繰り出し、該繰り出した前記記録媒体を前記第２保持部に巻き付け可能な方向に導く案内機構と、前記第１保持部及び前記第２保持部に一連に巻き付けられた状態で保持された前記記録媒体に対して、前記第1保持部の回転の下で第１記録処理を施すとともに、前記第２保持部の回転の下で第２記録処理を施す記録手段とを備えた。
【０００６】
この構成によれば、記録手段により、第１保持部及び第２保持部に一連に巻き付けられた状態で保持された記録媒体に対して、第１保持部の回転の下で第１記録処理が施されるとともに、第２保持部の回転の下で第２記録処理が施される。したがって、長尺の記録媒体に対して複数の記録処理を施すことが可能となる。
【０００７】
本発明の記録装置において、内部と外部とを連通する複数の連通部を有した回転可能な中空の本体ケースと、該本体ケース内に収容されるとともに、ロール状に巻かれた前記記録媒体を、前記各連通部のうち前記記録媒体の搬送経路の最も上流側に位置する連通部を通して前記本体ケースの内部から外部へ繰り出し可能に支持する第１軸と、前記本体ケース内に収容されるとともに、前記各連通部のうち前記記録媒体の搬送経路の最も下流側に位置する連通部を通して前記本体ケースの外部から内部へ導入された前記記録媒体を巻き取り可能な第２軸とを備え、前記案内機構は、該案内機構よりも上流側の連通部を通して前記本体ケースの外部から内部へ導入された前記記録媒体を該案内機構よりも下流側の連通部を通して前記本体ケースの内部から外部へ導くように構成され、前記各連通部を通して前記本体ケースの内部から外部へ繰り出された前記記録媒体は、前記本体ケースの外周面におけるスラスト方向で別々の領域にそれぞれ巻き付けられ、それぞれ再び前記各連通部を通して前記本体ケースの外部から内部へ導入され、前記第１保持部及び前記第２保持部は、前記本体ケースの外周面における前記各領域によってそれぞれ構成されている。
【０００８】
この構成によれば、第１保持部及び第２保持部は本体ケースの外周面における別々の領域によってそれぞれ構成されているため、本体ケースの回転の下で、記録手段により、第１保持部及び第２保持部に一連に巻き付けた記録媒体に対して第１記録処理及び第２記録処理を施すことが可能となる。
【０００９】
本発明の記録装置において、前記案内機構は、前記各保持部での前記記録媒体における前記各記録処理が施される面が変更されるように前記記録媒体を反転可能であって、前記記録媒体を巻き掛けて該記録媒体の搬送方向を変更するための巻き掛け部によって構成され、前記巻き掛け部は、その軸線を中心に回転可能に支持されたローラによって構成されている。
【００１０】
この構成によれば、記録媒体を反転可能であるため、記録媒体の両面のうち一方の面に対して第１記録処理を施すとともに他方の面に対して第２記録処理を施すことが可能となる。また、巻き掛け部を構成するローラに記録媒体を巻き掛けることで、記録媒体の搬送にともなってローラが連れ回りするため、ローラに巻き掛けた記録媒体を第１保持部から第２保持部へと円滑に導くことが可能となる。
【発明を実施するための最良の形態】
【００１１】
（第１実施形態）
以下、本発明の記録装置をインクジェット式プリンタに具体化した第１実施形態を図面に基づいて説明する。なお、以下の説明において、「前後方向」、「左右方向」、「上下方向」をいう場合は図１及び図２に矢印で示す前後方向、左右方向、上下方向をそれぞれ示すものとする。
【００１２】
図１〜図３に示すように、記録装置としてのインクジェット式プリンタ１１は、中空円柱状の本体ケース１２と、該本体ケース１２の上面に対向するように配置された記録手段としての直方体状の記録ヘッド１３とを備えている。本体ケース１２は、前後両端に開口部を有する円筒状のケース１４と、該ケース１４の前端の開口部を閉塞するように取着された円板状の前蓋１５と、ケース１４の後端の開口部を閉塞するように取着された円板状の後蓋１６とを備えている。
【００１３】
本体ケース１２には、該本体ケース１２の軸線に沿って延びる主軸１７が設けられている。すなわち、主軸１７は、前蓋１５の中心及び後蓋１６の中心を貫通するように設けられており、該主軸１７の前端部及び後端部はそれぞれ前蓋１５の前側及び後蓋１６の後側に突出している。主軸１７の前端には該主軸１７を回転するための主軸モータ１８が設けられており、主軸１７の前端部は図示しない支持部材によって回転可能に支持されている。そして、主軸モータ１８を駆動することにより、主軸１７と本体ケース１２とが一体に回転するようになっている。
【００１４】
図４は、本体ケース１２及び記録ヘッド１３を省略した状態のインクジェット式プリンタ１１の平面図である。図１及び図４に示すように、ケース１４内において、主軸１７における前側の位置には円筒状の第１軸２０が設けられている。すなわち、主軸１７は、第１軸２０内に挿通されているとともに、該第１軸２０を回転可能に支持している。一方、ケース１４内において、主軸１７における後側の位置には円筒状の第２軸２１が設けられている。すなわち、主軸１７は、第２軸２１内に挿通されているとともに、該第２軸２１を回転可能に支持している。したがって、第１軸２０及び第２軸２１は共に前後方向に延びる主軸１７の軸線上に配置されている。換言すれば、第１軸２０と第２軸２１とは同一軸線上において隣り合うように並んで配置されている。
【００１５】
第１軸２０には長尺の記録媒体としてのロール紙２２が巻装されており、該第１軸２０の前後両端には該ロール紙２２の前後方向の移動を規制するための円板状のフランジ２０ａが設けられている。一方、第２軸２１の前後両端には、ロール紙２２が該第２軸２１に巻かれた場合に、該ロール紙２２の前後方向の移動を規制するための円板状のフランジ２１ａが設けられている。
【００１６】
図１及び図２に示すように、後蓋１６の中心には、主軸１７の軸線に沿って延びる円筒状の駆動軸１９ａが回転可能に貫設されている。駆動軸１９ａの前端は第２軸２１の後端に連結されているともに、駆動軸１９ａの後端は巻取モータ１９に連結されている。この場合、駆動軸１９ａ内には主軸１７の後端部が遊挿されている。そして、巻取モータ１９を駆動すると、駆動軸１９ａを介して第２軸２１が回転するようになっている。なお、主軸１７及び本体ケース１２は、巻取モータ１９の駆動によって回転しないようになっている。
【００１７】
ケース１４の上端部には、該ケース１４の内部と外部とを連通する開口部２３が前後方向の全体にわたって形成されている。開口部２３におけるケース１４の右側の端部は右エッジ部２４とされ、開口部２３におけるケース１４の左側の端部は左エッジ部２５とされている。
【００１８】
図５は本体ケース１２及び記録ヘッド１３を省略した状態のインクジェット式プリンタ１１を前側から見たときの斜視図である。図６は本体ケース１２及び記録ヘッド１３を省略した状態のインクジェット式プリンタ１１を後側から見たときの斜視図である。図１、図４〜図６に示すように、ケース１４内において、第１軸２０の右斜め上方には右斜め上方から見て前方上側から後方下側に向かって延びる第１ローラ２６が配置され、第２軸２１の右斜め上方には右斜め上方から見て前方下側から後方上側に向かって延びる第２ローラ２７が配置されている。
【００１９】
すなわち、第１ローラ２６と第２ローラ２７とは、同一平面上に配置されているとともに、右斜め上方から見てＶ字状をなすように配置されている。そして、第１ローラ２６及び第２ローラ２７は、ケース１４の内面に図示しない支持部材により、それらの軸線を中心に回転可能に支持されている。なお、本実施形態では、第１ローラ２６及び第２ローラ２７により、案内機構を構成する巻き掛け部が構成されている。
【００２０】
また、第１軸２０から繰り出されたロール紙２２は、左エッジ部２５に巻き掛けられた後、ケース１４の外周面上に沿って巻き付けられ、さらに右エッジ部２４に巻き掛けられる。右エッジ部２４に巻き掛けられたロール紙２２は、第１ローラ２６に対して下側から右側に沿って巻き掛けられて、該ロール紙２２の搬送方向が後方となるように変更された後、さらに第２ローラ２７に対して右側から下側に沿って巻き掛けられて、該ロール紙２２の搬送方向が左斜め上方となるように変更される。
【００２１】
第２ローラ２７に巻き掛けられて搬送方向が左斜め上方となるように変更されたロール紙２２は、右エッジ部２４に巻き掛けられた後、ケース１４の外周面上に沿って巻き付けられ、さらに左エッジ部２５に巻き掛けられる。そして、左エッジ部２５に巻き掛けられたロール紙２２は、第２軸２１に対して右側から巻き付けられている。
【００２２】
したがって、ロール紙２２を巻き取る方向（後側から見て反時計方向）に第２軸２１が回転されると、第１軸２０から繰り出されたロール紙２２は、ケース１４の外周面上に沿って搬送された後、第１ローラ２６及び第２ローラ２７を順次経由し、再びケース１４の外周面上に沿って搬送された後、第２軸２１に順次巻き取られるようになっている。
【００２３】
図１に示すように、第１軸２０と対応するケース１４の外周面におけるロール紙２２が巻き付けられた領域は第１保持部としての第１印刷部２８とされ、第２軸２１と対応するケース１４の外周面におけるロール紙２２が巻き付けられた領域は第２保持部としての第２印刷部２９とされている。したがって、第１印刷部２８及び第２印刷部２９は、互いにケース１４のスラスト方向（本実施形態では前後方向）に沿って並設されているとともに、これらに一連に巻き付けられたロール紙２２をそれぞれ保持している。なお、本実施形態では、第１印刷部２８におけるロール紙２２の外側の面は、第２印刷部２９におけるロール紙２２の外側の面と同じ側の面になっている。
【００２４】
また、右エッジ部２４及び左エッジ部２５における第１印刷部２８と対応する部分はそれぞれ第１右エッジ部２４ａ及び第１左エッジ部２５ａとされている。一方、右エッジ部２４及び左エッジ部２５における第２印刷部２９と対応する部分はそれぞれ第２右エッジ部２４ｂ及び第２左エッジ部２５ｂとされている。さらに、開口部２３における第１印刷部２８と対応する部分は連通部としての第１連通部２３ａとされている。一方、開口部２３における第２印刷部２９と対応する部分は連通部としての第２連通部２３ｂとされている。
【００２５】
また、図５及び図６に示すように、ロール紙２２の搬送経路に沿う第１印刷部２８の長さと、ロール紙２２の搬送経路に沿う第１印刷部２８と第２印刷部２９との間の長さと、ロール紙２２の搬送経路に沿う第２印刷部２９の長さとは、全て同じになるように設定されている。すなわち、ロール紙２２の搬送経路において、第１左エッジ部２５ａから第１右エッジ部２４ａまでの長さと、第１右エッジ部２４ａから第２右エッジ部２４ｂまでの長さと、第２右エッジ部２４ｂから第２左エッジ部２５ｂまでの長さとは、互いに同じになるように設定されている。
【００２６】
図３に示すように、記録ヘッド１３におけるケース１４の外周面と対向する下面には、図示しないインクカートリッジから供給された液体としてのインク及びオーバーコート液を噴射するための複数のノズル（図示略）が形成されている。すなわち、記録ヘッド１３において、第１印刷部２８と対応する各ノズル（図示略）からはインクが噴射されるとともに、第２印刷部２９と対応する各ノズル（図示略）からはオーバーコート液が噴射されるようになっている。なお、オーバーコート液は、印刷面を保護するためのものである。
【００２７】
そして、主軸１７を中心に本体ケース１２を前側から見て反時計方向（図３の矢印で示す方向）に回転しながら記録ヘッド１３の各ノズル（図示略）からインク及びオーバーコート液を噴射することで、第１印刷部２８に巻き付けられた分のロール紙２２に第１記録処理としての印刷が行われるとともに、第２印刷部２９に巻き付けられた分のロール紙２２に第２記録処理としてのオーバーコート液によるコーティングが行われるようになっている。
【００２８】
次に、インクジェット式プリンタ１１の作用について説明する。
さて、インクジェット式プリンタ１１によってロール紙２２に印刷を行う場合には、ロール紙２２をケース１４の第１印刷部２８及び第２印刷部２９に一連に巻き付けて保持する（保持ステップ）。引き続き、主軸モータ１８を駆動して主軸１７を介して本体ケース１２を回転させるとともに、記録ヘッド１３の各ノズル（図示略）から第１印刷部２８にインクを噴射させる（記録ステップ）。すると、第１印刷部２８に巻き付けられた分のロール紙２２に印刷が行われる。
【００２９】
そして、本体ケース１２が１回転すると、巻取モータ１９の駆動により駆動軸１９ａを介して第２軸２１が回転されて第１印刷部２８に巻き付けられた分のロール紙２２の長さ分だけ第２軸２１にロール紙２２が巻き取られる。このロール紙２２の巻き取りにより、第１軸２０が回転されて第２軸２１に巻き取られた分のロール紙２２と同じ長さ分だけ第１軸２０からロール紙２２が繰り出される。
【００３０】
このとき、第１印刷部２８に巻き付けられた分のロール紙２２は、第１連通部２３ａを通して第１ローラ２６及び第２ローラ２７により第２印刷部２９に向かって円滑に導かれる。この場合、第１ローラ２６及び第２ローラ２７は、これらに巻き掛けられたロール紙２２の搬送にともなって連れ回りするため、各ローラ２６，２７によってロール紙２２を第２印刷部２９に向かって案内する際にロール紙２２が受ける摺動抵抗が低減される。
【００３１】
さらに、本体ケース１２が１回転した後にロール紙２２を搬送する際には、第１軸２０及び第２軸２１にそれぞれ巻かれたロール紙２２がフランジ２０ａ，２１ａによって位置決めがなされる。このため、第１軸２０から正確にロール紙２２が繰り出されるとともに、第２印刷部２９から搬送されたロール紙２２が第２軸２１によって正確に巻き取られる。
【００３２】
このように、第１印刷部２８で最初に印刷された分のロール紙２２は第１印刷部２８と第２印刷部２９との間に移動するとともに、第１印刷部２８には第１軸２０から繰り出された新たな分のロール紙２２が移動する。そして、上記と同様に、第１印刷部２８に巻き付けられた分のロール紙２２に印刷が行われると、第１印刷部２８に巻き付けられた分のロール紙２２の長さ分だけ第２軸２１にロール紙２２が巻き取られる。すると、第１印刷部２８で最初に印刷された分のロール紙２２は第２印刷部２９に移動し、第１印刷部２８で２番目に印刷された分のロール紙２２は第１印刷部２８と第２印刷部２９との間に移動し、第１印刷部２８には第１軸２０から繰り出された新たな分のロール紙２２が移動した状態となる。
【００３３】
この状態以降、上記と同様に第１印刷部２８に巻き付けられた分のロール紙２２に印刷を行う際には、記録ヘッド１３の各ノズル（図示略）から第２印刷部２９にオーバーコート液が同時に噴射される。すると、第１印刷部２８において３番目のロール紙２２の印刷が行われるとともに、第２印刷部２９において既に第１印刷部２８で最初に印刷された分のロール紙２２の印刷面がオーバーコート液によってコーティングされる。したがって、第１印刷部２８での印刷と、既に第１印刷部２８で印刷された分のロール紙２２の印刷面のオーバーコート液によるコーティングが同時に行われるようになる。
【００３４】
このようにして第１印刷部２８に巻き付けられた分のロール紙２２の長さ単位で印刷が繰り返されると、第１軸２０に巻かれたロール紙２２の外径が小さくなるにつれて、第２軸２１に巻かれたロール紙２２の外径が段々と大きくなる。
【００３５】
ここで、従来のように第１軸２０と第２軸２１とが主軸１７の軸線と直交する方向に並列に配置されている場合には、第１軸２０に巻かれているロール紙２２の外径と第２軸２１に巻かれているロール紙２２の外径との差が大きいときと小さいときとで本体ケース１２の回転時のバランスが大きく変化するため、該本体ケース１２が円滑に回転されなくなってしまう。加えて、第１軸２０と第２軸２１とが主軸１７の軸線と直交する方向に並列に配置されるため、第１軸２０と第２軸２１とに巻かれるロール紙２２の全ての配分状態を考慮してもこれらを十分に収容可能な程度に本体ケース１２の内径を設定しなければならず、本体ケース１２が大きくなってしまう。
【００３６】
この点、本実施形態では、第１軸２０と第２軸２１とが主軸１７の軸線上に配置されている。このため、第１軸２０に巻かれているロール紙２２の外径と第２軸２１に巻かれているロール紙２２の外径との差が大きいときと小さいときとで本体ケース１２の回転時のバランスがあまり変化しないので、該本体ケース１２が円滑に回転される。加えて、第１軸２０と第２軸２１とが主軸１７の軸線上において並んで配置されているため、本体ケース１２の内径は、最大でも第１軸２０及び第２軸２１のうち何れか一方にロール紙２２が全て巻かれた状態のみを考慮してこれらを十分に収容可能な程度に設定すればよい。したがって、本体ケース１２の大きさを従来よりも小さく抑えることが可能となる。
【００３７】
以上詳述した第１実施形態によれば、以下の効果を得ることができる。
（１）ロール紙２２が搬送経路に沿って第１軸２０から第２軸２１に搬送される際に、ケース１４の外周面により別々に構成された第１印刷部２８及び第２印刷部２９を順次通るので、ロール紙２２を印刷することと、該印刷後のロール紙２２の印刷面をオーバーコート液によってコーティングすることとの２つの記録処理（第１記録処理及び第２記録処理）を同時に行うことができる。
【００３８】
（２）ロール紙２２の搬送経路に沿う第１印刷部２８の長さと、ロール紙２２の搬送経路に沿う第１印刷部２８と第２印刷部２９との間の長さと、ロール紙２２の搬送経路に沿う第２印刷部２９の長さとは、全て同じになるように設定されている。このため、ロール紙２２を第１印刷部２８の長さ単位で間欠搬送しながら該ロール紙２２に順次インク及びオーバーコート液を噴射することで、第１印刷部２８においてロール紙２２を印刷することと、第２印刷部２９において印刷後のロール紙２２の印刷面をオーバーコート液によってコーティングすることとを同時に且つ確実に行うことができる。
【００３９】
（３）第１ローラ２６及び第２ローラ２７は、これらに巻き掛けられたロール紙２２の搬送にともなって連れ回りするため、各ローラ２６，２７によってロール紙２２を第２印刷部２９に向かって案内する際にロール紙２２が受ける摺動抵抗を低減することができる。したがって、各ローラ２６，２７に巻き掛けられたロール紙２２を円滑に第２印刷部２９に向かって導くことができる。
【００４０】
（第２実施形態）
以下、本発明の第２実施形態を上記第１実施形態と異なる点を中心に説明する。
この第２実施形態は、図７〜図９に示すように、上記第１実施形態における第２ローラ２７を第３ローラ３０及び第４ローラ３１に変更するとともに、記録ヘッド１３の各ノズル（図示略）から第２印刷部２９へはオーバーコート液ではなくインクが噴射されるように構成したものである。
【００４１】
図７は、本体ケース１２及び記録ヘッド１３を省略した状態のインクジェット式プリンタ１１の平面図である。図８は本体ケース１２及び記録ヘッド１３を省略した状態のインクジェット式プリンタ１１を前側から見たときの斜視図である。図９は本体ケース１２及び記録ヘッド１３を省略した状態のインクジェット式プリンタ１１を後側から見たときの斜視図である。
【００４２】
図１、図７〜図９に示すように、ケース１４内において、第２軸２１の右斜め上方には右斜め上方から見て前方上側から後方下側に向かって延びる第３ローラ３０が第１ローラ２６と平行になるように配置されている。すなわち、第１ローラ２６と第３ローラ３０とは、同一平面上に配置されている。また、ケース１４内における第２軸２１の右方には、第３ローラ３０の下端（後端）に対して左斜め下側に隣り合うように、第２軸２１と平行に延びる第４ローラ３１が配置されている。そして、第３ローラ３０及び第４ローラ３１は、図示しない支持部材によってケース１４の内面に回転可能に支持されている。なお、本実施形態では、第１ローラ２６、第３ローラ３０、及び第４ローラ３１により、案内機構を構成する巻き掛け部が構成されている。
【００４３】
また、第１軸２０から繰り出されたロール紙２２は、第１左エッジ部２５ａに巻き掛けられた後、第１印刷部２８に沿って巻き付けられ、さらに第１右エッジ部２４ａに巻き掛けられる。第１右エッジ部２４ａに巻き掛けられたロール紙２２は、第１ローラ２６に対して下側から右側に沿って巻き掛けられて、該ロール紙２２の搬送方向が後方となるように変更された後、さらに第３ローラ３０に対して上側から左側に沿って巻き掛けられて、該ロール紙２２の搬送方向が下方となるように変更される。
【００４４】
第３ローラ３０に巻き掛けられて搬送方向が下方となるように変更されたロール紙２２は、第４ローラ３１に対して右側から下側に沿って巻き掛けられて、該ロール紙２２の搬送方向が上方となるように変更される。第４ローラ３１に巻き掛けられて搬送方向が上方となるように変更されたロール紙２２は、第２右エッジ部２４ｂに巻き掛けられた後、第２印刷部２９に沿って巻き付けられ、さらに第２左エッジ部２５ｂに巻き掛けられる。そして、第２左エッジ部２５ｂに巻き掛けられたロール紙２２は、第２軸２１に対して右側から巻き付けられている。
【００４５】
したがって、ロール紙２２を巻き取る方向（後側から見て反時計方向）に第２軸２１が回転されると、第１軸２０から繰り出されたロール紙２２は、第１印刷部２８に沿って搬送された後、第１ローラ２６、第３ローラ３０、及び第４ローラ３１を順次経由し、再び第２印刷部２９に沿って搬送された後、第２軸２１に順次巻き取られるようになっている。
【００４６】
また、ロール紙２２は、第１ローラ２６、第３ローラ３０、及び第４ローラ３１を順次経由する際に、該各ローラ２６，３０，３１によって表面と裏面とが逆になるように反転されるようになっている。したがって、本実施形態では、第１印刷部２８におけるロール紙２２の外側の面は、第２印刷部２９におけるロール紙２２の外側の面と反対側の面になっている。
【００４７】
また、図８及び図９に示すように、ロール紙２２の搬送経路に沿う第１印刷部２８の長さと、ロール紙２２の搬送経路に沿う第１印刷部２８と第２印刷部２９との間の長さと、ロール紙２２の搬送経路に沿う第２印刷部２９の長さとは、第１実施形態と同様に、全て同じになるように設定されている。
【００４８】
そして、インクジェット式プリンタ１１によってロール紙２２に印刷を行う場合には、第１実施形態と同様にして行われるが、本実施形態ではロール紙２２が第１印刷部２８から第２印刷部２９へと搬送される過程で各ローラ２６，３０，３１によって反転される。したがって、ロール紙２２は、第１印刷部２８において表面の印刷が行われるとともに、第２印刷部２９において裏面の印刷が行われる。すなわち、ロール紙２２は、表面の印刷と裏面の印刷とが同時に行われる。したがって、本実施形態では、効率よくロール紙２２の両面印刷が行われる。
【００４９】
以上詳述した第２実施形態によれば、以下の効果を得ることができる。
（８）ロール紙２２が第１印刷部２８から第２印刷部２９へと搬送される過程で各ローラ２６，３０，３１によって反転されるため、ロール紙２２の両面印刷を効率よく行うことができる。
（変更例）
なお、上記各実施形態は以下のように変更してもよい。
【００５０】
・各ローラ２６，２７，３０，３１のうち少なくとも１つを、回転しない丸棒や丸パイプに変更してもよい。この場合、丸棒や丸パイプに巻き掛けられたロール紙２２は、丸棒や丸パイプの表面を摺動しながら搬送される。
【００５１】
・第１軸２０と第２軸２１とは、必ずしも同一軸線上に配置する必要はない。
・第１軸２０及び第２軸２１は、必ずしも主軸１７の軸線上に配置する必要はない。
・ロール紙２２の搬送経路に沿う第１印刷部２８の長さと、ロール紙２２の搬送経路に沿う第１印刷部２８と第２印刷部２９との間の長さと、ロール紙２２の搬送経路に沿う第２印刷部２９の長さとは、必ずしも全て同じになるように設定する必要はない。
【００５２】
・第１実施形態において、第２印刷部２９でロール紙２２にオーバーコート液の代わりにインクが噴射されるように構成してもよい。この場合、ロール紙２２は、例えば第１印刷部２８で全面がベタ塗り印刷された後、第２印刷部２９においてベタ塗り印刷された上から該ベタ塗り印刷で用いたインク以外のインクで画像や文字などが印刷される。
【００５３】
・ケース１４の外周面上には、第１印刷部２８及び第２印刷部２９に加えて、ロール紙２２を巻き付けた状態で保持する１つ以上の保持部としての印刷部を設けるようにしてもよい。この場合、ロール紙２２の搬送経路における各印刷部間には案内機構がそれぞれ設けられる。さらにこの場合、任意の案内機構を、ロール紙２２を反転するように構成してもよい。このようにすれば、ロール紙２２に対して３回以上の記録処理（印刷など）を行うことができる。
【００５４】
・本体ケース１２を第１印刷部２８と第２印刷部２９との間で前後に分割してもよい。すなわち、第１印刷部２８を有する本体ケース１２と第２印刷部２９を有する本体ケース１２とを別体にしてもよい。
【００５５】
・第１軸２０及び第２軸２１は、必ずしも本体ケース１２内に配置する必要はない。すなわち、第１軸２０及び第２軸２１は、本体ケース１２の外部に配置してもよい。この場合、第１軸２０から第１印刷部２８にロール紙２２を導くための案内機構と、第２印刷部２９から第２軸２１にロール紙２２を導くための案内機構とを別途設ける必要がある。
【００５６】
・本体ケース１２は円柱や楕円柱などの中実体に変更してもよい。この場合、案内機構、第１軸２０、及び第２軸２１は、中実体の外面上や中実体から離間した位置に配置される。
【００５７】
・第２軸２１を省略し、第２印刷部２９で第２記録処理が完了したロール紙２２が所定の長さごとに順次切断されて積み重ねられた状態で回収されるように構成してもよい。
・第１軸２０を省略してもよい。この場合、ロール紙２２の代わりに蛇行状に畳まれた長尺帯状の連続紙を記録媒体として用いればよい。
【００５８】
・上記各実施形態では、記録装置をインクジェット式プリンタ１１に具体化したが、有版印刷方式のプリンタに具体化してもよい。
・上記各実施形態では、記録装置をインクジェット式プリンタ１１に具体化したが、インク以外の他の液体（機能材料の粒子が液体に分散又は混合されてなる液状体、ゲルのような流状体を含む）を噴射する液体噴射装置に具体化してもよい。そして、本明細書における「液体」には、例えば、無機溶剤、有機溶剤、溶液、液状樹脂、液状金属（金属融液）等を含むほか、液状体、流状体などが含まれる。
【図面の簡単な説明】
【００５９】
【図１】第１実施形態のインクジェット式プリンタの平面図。
【図２】同プリンタの正面図。
【図３】同プリンタの側面図。
【図４】本体ケース及び記録ヘッドを省略した状態の同プリンタの平面図。
【図５】本体ケース及び記録ヘッドを省略した状態の同プリンタを前側から見たときの斜視図。
【図６】本体ケース及び記録ヘッドを省略した状態の同プリンタを後側から見たときの斜視図。
【図７】第２実施形態において、本体ケース及び記録ヘッドを省略した状態のインクジェット式プリンタの平面図。
【図８】本体ケース及び記録ヘッドを省略した状態の同プリンタを前側から見たときの斜視図。
【図９】本体ケース及び記録ヘッドを省略した状態の同プリンタを後側から見たときの斜視図。
【符号の説明】
【００６０】
１１…記録装置としてのインクジェット式プリンタ、１２…記録装置を構成する本体ケース、１３…記録手段としての記録ヘッド、２０…記録装置を構成する第１軸、２１…記録装置を構成する第２軸、２２…記録媒体としてのロール紙、２３ａ…連通部としての第１連通部、２３ｂ…連通部としての第２連通部、２６…記録装置を構成するとともに案内機構を構成する巻き掛け部としての第１ローラ、２７…記録装置を構成するとともに案内機構を構成する巻き掛け部としての第２ローラ、２８…第１保持部としての第１印刷部、２９…第２保持部としての第２印刷部、３０…記録装置を構成するとともに案内機構を構成する巻き掛け部としての第３ローラ、３１…記録装置を構成するとともに案内機構を構成する巻き掛け部としての第４ローラ。
【図１】
2009226919.tif 000003
【図２】
2009226919.tif 000004
【図３】
2009226919.tif 000005
【図４】
2009226919.tif 000006
【図５】
2009226919.tif 000007
【図６】
2009226919.tif 000008
【図７】
2009226919.tif 000009
【図８】
2009226919.tif 000010
【図９】
2009226919.tif 000011